(57)【要約】【課題】可搬型ディジタルＸ線検出器に電力を供給する簡便な手段を提供する。【解決手段】幾つかの具現化形態では、可搬型無線ディジタルＸ線検出器が、少なくとも１個の外部電気導体に電気的に結合されたバッテリを含むようなシステム、方法及び装置を提供する。幾つかの具現化形態では、外部電気導体は、可搬型無線ディジタルＸ線検出器の筐体の外側に等高で装着されている。幾つかの具現化形態では、外部電気導体プレートは、低アレルギー誘発性材料のみを含んでいる。幾つかの具現化形態では、バッテリは、可搬型無線ディジタルＸ線検出器に固定的に装着されている。幾つかの具現化形態では、ドッキング検出器レセプタクルが、ドッキング検出器レセプタクルのポケットの内部に少なくとも１個の外部電気導体を含んでいる。【選択図】図１
2010022836.tif 000002
【特許請求の範囲】
【請求項１】
内側及び外側（１０４）を有する筐体（１０２）と、
前記筐体（１０２）の内側に装着されたピクセル・アレイ・パネル（１０４）と、
前記パネル（１０４）に結合されて動作する複数の電子部品と、
該複数の電子部品及び前記パネル（１０４）に電気的に結合されたバッテリ（１１０）と、
前記筐体（１０２）の前記外側（１０４）に等高に装着された少なくとも１個の電気導体（１１２）と
を備えた装置。
【請求項２】
前記少なくとも１個の電気導体（１１２）は、当該装置がドッキング検出器（１００）レセプタクル（２００）に置かれたときに、前記筐体（１０２）において前記ドッキング検出器（１００）レセプタクル（２００）のポケット（２０４）の内部の相手方の電気導体（１１２）に隣接した位置に配置される、請求項１に記載の装置。
【請求項３】
前記少なくとも１個の電気導体（１１２）は、前記筐体（１０２）の前記外側（１０４）の面に配置された導電性ピンである、請求項１に記載の装置。
【請求項４】
前記バッテリ（１１０）の状態の視覚的指標を提供するように動作可能なバッテリ（１１０）状態指示計（７０４）をさらに含んでいる請求項１に記載の装置。
【請求項５】
前記バッテリ（１１０）の充電状態の視覚的指標を提供するように動作可能なバッテリ（１１０）充電指示計（７０２）をさらに含んでいる請求項１に記載の装置。
【請求項６】
筐体（１０２）と、
該筐体（１０２）の内部に装着されたピクセル・アレイ・パネル（１０４）と、
該パネル（１０４）に電気的に結合されたバッテリ（１１０）と、
該バッテリ（１１０）に結合された少なくとも１個の非接触型充電用コイルと
を備えた可搬型無線ディジタルＸ線検出器（１００）。
【請求項７】
背面（２０２）と、
該背面（２０２）に結合されており、可搬型ディジタルＸ線検出器（１００）が嵌合するような内寸を有し、内面（２０４）に装着された少なくとも１個の電気導体（２０６）を有するポケット（２０４）と
を備えた装置。
【請求項８】
前記少なくとも１個の電気導体（２０２）はばね（６００）式で偏圧されている、請求項７に記載の装置。
【請求項９】
前記少なくとも１個の電気導体（２０２）は前記ポケット（２０４）の底面に配置されている、請求項７に記載の装置。
【請求項１０】
背面（２０２）と、
該背面（２０２）に結合されており、可搬型ディジタルＸ線検出器（１００）が嵌合するような内寸を有するポケット（２０４）と、
当該ドッキング検出器レセプタクル（２００）の内部にドッキングされた前記可搬型ディジタルＸ線検出器（１００）のバッテリ（１１０）を充電する少なくとも１個の非接触型充電モジュール（９０２）と
を備えたドッキング検出器（１００）レセプタクル（２００）。
【発明の詳細な説明】
【技術分野】
【０００１】
本発明は一般的には、医用画像装置の電力供給に関し、さらに具体的には、可搬型無線ディジタルＸ線検出器の電力供給に関する。
【背景技術】
【０００２】
ディジタルＸ線検出器は、Ｘ線電磁エネルギの電子センサを有する。ディジタルＸ線検出器はしばしば、固体Ｘ線検出器とも呼ばれる。
従来のディジタルＸ線検出器の一形式は、ＦＥＴ（電界効果トランジスタ）のようなスイッチとフォトダイオードのような光検出器とで構成されたピクセルのアレイを含んでおり、ピクセルはアモルファス・シリコンで構築され、上にヨウ化セシウム（ＣｓＩ）が堆積されている。ＣｓＩはＸ線を吸収して光へ変換し、次いでこの光がフォトダイオードによって検出される。フォトダイオードはキャパシタとして動作して電荷を蓄積する。検出器の初期化はＸ線曝射の前に生じ、検出器を「スクラブ」処理する過程で各々のフォトダイオードが既知の電圧まで充電される。次いで、検出器をＸ線に曝露すると、Ｘ線がＣｓＩによって吸収される。次いで、Ｘ線束に比例して放出される光がフォトダイオードを部分的に放電させる。曝射の終結の後に、フォトダイオードの電圧が初期電圧まで復元される。フォトダイオードに初期電圧を復元するのに必要とされる電荷の量を測定すると、この量が、曝射長の間にピクセルによって積算されたＸ線量の尺度となる。ピクセル・アレイはフラット・パネルとして配列状に構成されている。マザーボードが、パネルからの電荷の読み出しを制御する読み出し電子回路を含んでいる。
【先行技術文献】
【特許文献】
【０００３】
【特許文献１】米国特許出願公開第２００６００７０３８４号
【発明の概要】
【発明が解決しようとする課題】
【０００４】
従来の可搬型ディジタルＸ線検出器は、イメージング・システム及び／又は可動型ディジタルＸ線イメージング・システムに接続する有線コードを含んでおり、可搬型ディジタルＸ線検出器に電力を供給して可搬型ディジタルＸ線検出器とイメージング・システム及び／又は可動型ディジタルＸ線イメージング・システムとの間でデータを交換している。有線コードは煩わしく、また保守時の問題を生じ易い。
【０００５】
以上の理由、及び本明細書を精読すると当業者には明らかになるであろう後述の他の理由のため、当技術分野では、可搬型無線ディジタルＸ線検出器に電力を供給するさらに簡便な手段が求められている。
【課題を解決するための手段】
【０００６】
本書では以上に述べた短所、欠点及び問題を扱っており、このことについては以下の明細書を読んで検討することにより理解されよう。
【０００７】
一観点では、装置が、筐体の内部に装着されたピクセル・アレイのパネルと、パネルに結合されて動作するプロセッサと、プロセッサに電気的に結合されたバッテリと、筐体の外側に等高で装着されており、低アレルギー誘発性材料のみを含む少なくとも１枚の導電性プレートとを含んでいる。
【０００８】
他の観点では、可搬型無線ディジタルＸ線検出器が、筐体の内部に装着されたピクセル・アレイのパネルと、パネルに結合されて動作するプロセッサと、筐体に固定的に装着されて着脱不能でありプロセッサに電気的に結合されたバッテリとを含んでいる。
【０００９】
さらにもう一つの観点では、可搬型無線ディジタルＸ線検出器が、筐体の内部に装着されたピクセル・アレイのパネルと、パネルに結合されて動作するプロセッサと、筐体の内部に設けられておりプロセッサに電気的に結合されたバッテリと、バッテリが充電中の場合にはバッテリ電力の残量を指示するように動作可能なバッテリ充電指示計であって、筐体の表面に装着されてプロセッサに結合されて動作するバッテリ充電指示計とを含んでいる。
【００１０】
さらにもう一つの観点では、可搬型無線ディジタルＸ線検出器が、筐体の内部に装着されたピクセル・アレイのパネルと、パネルに結合されて動作するプロセッサと、筐体の内部に設けられておりプロセッサに電気的に結合されたバッテリと、バッテリの充電量を指示し、筐体の表面に装着されてプロセッサに結合されて動作するバッテリ状態指示計とを含んでいる。
【００１１】
さらにもう一つの観点では、装置が、背面と、背面に結合されたポケットとを含んでおり、ポケットは、可搬型ディジタルＸ線検出器が内部に滑り嵌めで嵌合するような内寸を有し、ポケットは、ポケットの内面に装着された少なくとも１個の電気導体を有している。
【００１２】
さらにもう一つの観点では、ドッキング検出器レセプタクルが、背面と、背面に結合されたポケットとを含んでおり、ポケットは、可搬型ディジタルＸ線検出器が滑り嵌めで嵌合するような内寸を有し、ポケットは、ポケットの内面に装着されている複数の導電性プレートと、これら複数の導電性プレートの各々の下方に設けられた少なくとも１個のばねとを有している。
【００１３】
さらにもう一つの観点では、ドッキング検出器レセプタクルが、背面と、背面に結合されたポケットとを含んでおり、ポケットは、可搬型ディジタルＸ線検出器が滑り嵌めで嵌合するような内寸を有し、ポケットは、ポケットの内面に装着されている複数の導電性プレートと、これら複数の導電性プレートの各々の下方に設けられた少なくとも１個のばねとを有している。
【００１４】
本書では様々な観点の装置、システム及び方法について説明する。この概要に記載した観点及び利点に加えての他の観点及び利点は、図面を参照して以下の詳細な説明を読むと明らかとなろう。
【図面の簡単な説明】
【００１５】
【図１】外部電気導体を有する可搬型無線ディジタルＸ線検出器システムの等角図である。
【図２】電気導体を有するドッキング検出器レセプタクル２００の等角図である。
【図３】隣り合う電気導体を有する可搬型無線ディジタルＸ線検出器システム及びドッキング検出器レセプタクルの等角図である。
【図４】複数の３個の電気導体を有する可搬型無線ディジタルＸ線検出器システム及びドッキング検出器レセプタクルの等角図である。
【図５】複数の４個の電気導体、及び／又は丸み付き稜角を有する電気導体を有する可搬型無線ディジタルＸ線検出器システム及びドッキング検出器レセプタクルの等角図である。
【図６】電気導体ばねアセンブリの断面ブロック図である。
【図７】バッテリ充電指示計及び／又はバッテリ状態指示計を有する可搬型無線ディジタルＸ線検出器システムの等角図である。
【図８】１又は複数のドッキング検出器レセプタクルを有する一実施形態による可動型ディジタルＸ線イメージング・システムの側面図である。
【図９】非接触型誘導式給電モジュールを有する可搬型無線ディジタルＸ線検出器システムの等角図である。
【図１０】電磁インダクタを有するドッキング検出器レセプタクルの等角図である。
【発明を実施するための形態】
【００１６】
以下の詳細な説明では、説明の一部を成しており実施され得る特定の具現化形態を例として示す添付図面を参照する。これらの具現化形態は当業者が当該具現化形態を実施することを可能にするように十分に詳細に説明されており、他の具現化形態を利用し得ること、並びに具現化形態の範囲から逸脱することなく論理的変形、機械的変形、電気的変形及び他の変形を施し得ることを理解されたい。従って、以下の詳細な説明は、限定する意味で解釈すべきでない。
【００１７】
この詳細な説明は二節に分かれている。第一節では、装置の各具現化形態について説明する。第二節では、詳細な説明の結論を掲げる。
装置の具現化形態
図１は、外部電気導体を有する可搬型無線ディジタルＸ線検出器システム１００の等角図である。可搬型無線ディジタルＸ線検出器システム１００は、可搬型無線ディジタルＸ線検出器に電力を供給する簡便な手段を提供する。
【００１８】
可搬型無線ディジタルＸ線検出器システム１００は、内側（図示されていない）と外側１０４とを有する筐体１０２を含んでいる。可搬型無線ディジタルＸ線検出器システム１００はまた、筐体１０２の内側に装着されたピクセル・アレイ・パネル１０６を含んでいる。可搬型無線ディジタルＸ線検出器システム１００はまた、パネル１０６に結合されて動作するプロセッサ１０８を含んでいる。
【００１９】
可搬型無線ディジタルＸ線検出器システム１００はまた、プロセッサ１０８に電気的に結合されて動作するバッテリ（１又は複数）１１０を含んでいる。幾つかの具現化形態では、バッテリ１１０は、約３０ワット時の電力を蓄積することができる。３０ワット時の電力を有するバッテリ１１０は物理的外形が小型で軽量であり、このようにして可搬型無線ディジタルＸ線検出器システム１００に軽量を提供する。幾つかの具現化形態では、バッテリ１１０は、筐体１０２の内部に固定的に装着されて着脱不能であり、この場合には、バッテリ１１０は可搬型無線ディジタルＸ線検出器システム１００の恒久的取り付け部品となる。幾つかの具現化形態では、バッテリ１１０は着脱自在である。この場合には、着脱自在型バッテリ１１０はＸ線システムにおいて再充電されることができる。着脱自在型バッテリは、着脱自在型バッテリの１個が充電されていない状況においては可搬型無線ディジタルＸ線検出器システム１００の間で交換することができる。
【００２０】
可搬型無線ディジタルＸ線検出器システム１００はまた、１又は複数の電気導体１１２を含んでいる。図１に示すような幾つかの具現化形態では、電気導体（１又は複数）１１２は導電性プレート（１又は複数）である。図６に示す他の具現化形態では、電気導体（１又は複数）１１２はピン（１又は複数）である。
【００２１】
幾つかの具現化形態では、電気導体（１又は複数）１１２は、充電回路（図示されていない）及び電気経路１１４を介してバッテリ１１０に電気的に結合されて動作する。電気経路１１４は、電力が電気導体（１又は複数）１１２に印加されたときにバッテリ１１０に電力を供給する。この電力はバッテリ１１０を再充電することができる。
【００２２】
幾つかの具現化形態では、読み出し電子回路（図示されていない）及びパネル１０６は、電気経路１１６を介してバッテリ１１０に電気的に結合されて動作する。電気経路１１６は、読み出し電子回路及びパネル１０６にバッテリ１１０から電力及び／又は信号通信を提供する。他の具現化形態では、バッテリ１１０は、パネル１０６、データ・モジュール（図示されていない）、走査モジュール（図示されていない）及びマザー・ボード（図示されていない）のような可搬型無線ディジタルＸ線検出器１００のあらゆる電気部品の電力源となる。
【００２３】
電気導体（１又は複数）１１２は、可搬型無線ディジタルＸ線検出器システム１００がドッキング検出器レセプタクルに置かれたときに可搬型無線ディジタルＸ線検出器システム１００が電力を受け取ることができるようにする手段を提供する。このようにして、可搬型無線ディジタルＸ線検出器システム１００のバッテリ１１０は、可搬型無線ディジタルＸ線検出器システム１００の非動作時間に再充電されることができ、これにより可搬型無線ディジタルＸ線検出器１００に電力を供給する簡便な手段を提供する。
【００２４】
幾つかの具現化形態では、電気導体（１又は複数）１１２は、ポリイソブテンのような幾つかの低アレルギー誘発性材料（１又は複数）を含んでいる。低アレルギー誘発性材料（１又は複数）は、患者又は人間に接触し得る可搬型無線ディジタルＸ線検出器システム１００について特に有益である。というのは、低アレルギー誘発性材料（１又は複数）は、電気導体（１又は複数）１１２が患者、又は可搬型無線ディジタルＸ線検出器システム１００と物理的に接触し得る放射線技師、看護士若しくは医師のような他の人間にアレルギー反応を生じさせる可能性を解消しないまでも低減するからである。幾つかの具現化形態では、電気導体（１又は複数）は低アレルギー誘発性材料のみを含んでいる。
【００２５】
幾つかの具現化形態では、電気導体（１又は複数）１１２は、筐体１０２の外側１０４に等高で装着される。電気導体（１又は複数）１１２の等高装着は、患者又は人間に接触し得る可搬型無線ディジタルＸ線検出器システム１００について特に有益である。というのは、等高装着は、電気導体（１又は複数）１１２の縁が患者、又は放射線技師、看護士若しくは医師のような他の人間の皮膚又は衣服に引っ掛かって、人間に怪我をさせたり、電気導体（１又は複数）１１２と接触する次の人間に伝わり得る人体上皮及び／又は血液の付着体として作用し、このようにしてウィルス及び／又は細菌が一人の人間から他の人間へ伝染する媒体として作用したりする可能性を解消しないまでも低減するからである。このように、電気導体（１又は複数）１１２の等高装着は、可搬型無線ディジタルＸ線検出器システム１００との物理的接触を有する人間同士の間の二次汚染を防止する。幾つかの具現化形態では、電気導体（１又は複数）１１２は、筐体１０２から０．１ミリメートルの許容量の範囲内で等高に装着される。
【００２６】
幾つかの具現化形態では、電気導体（１又は複数）１１２は、面取り縁（１又は複数）（図示されていない）を有する。電気導体（１又は複数）１１２の面取り縁（１又は複数）は、患者又は人間と接触し得る可搬型無線ディジタルＸ線検出器システム１００に特に有益である。というのは、面取り縁（１又は複数）は、電気導体（１又は複数）１１２の縁が患者、又は放射線技師、看護士若しくは医師のような他の人間の皮膚又は衣服に引っ掛かって、人間に怪我をさせたり、電気導体（１又は複数）１１２と接触する次の人間に伝わり得る人体上皮及び／又は血液の付着体として作用し、このようにしてウィルス及び／又は細菌が一人の人間から他の人間へ伝染する媒体として作用したりする可能性を解消しないまでも低減するからである。このようにして、電気導体（１又は複数）１１２の面取り縁（１又は複数）は、可搬型無線ディジタルＸ線検出器システム１００との物理的接触を有する人間同士の間の二次汚染を防止する。
【００２７】
幾つかの具現化形態では、格納式（リトラクタブル）カバー（図示されていない）が電気導体（１又は複数）１１２の各々に被さって、塵及び他の汚染物が電気導体（１又は複数）１１２を覆わないようにしている。格納式カバー（１又は複数）は、電気導体（１又は複数）の十分な導電性を保つのを助ける。
【００２８】
可搬型無線ディジタルＸ線検出器システム１００は、如何なる特定の筐体１０２、筐体外側１０４、ピクセル・アレイ・パネル１０６、プロセッサ１０８、バッテリ１１０、電気導体（１又は複数）１１２及び電気経路１１４にも限定されていないが、分かり易くするために、単純化した筐体１０２、筐体外側１０４、ピクセル・アレイ・パネル１０６、プロセッサ１０８、バッテリ１１０、電気導体（１又は複数）１１２及び電気経路１１４について記載する。
【００２９】
前節では、一具現化形態の動作のシステム・レベルの全体像について記載した。本節では、かかる具現化形態の特定の装置について一連の図を参照して記載する。
【００３０】
図２は、電気導体を有するドッキング検出器レセプタクル２００の等角図である。ドッキング検出器レセプタクル２００は、可搬型無線ディジタルＸ線検出器に電力を供給する簡便な手段を提供する。
【００３１】
ドッキング検出器レセプタクル２００は、背面２０２と、背面２０２に結合されたポケット２０４とを含んでいる。ポケット２０４は、可搬型ディジタルＸ線検出器が滑り嵌めで嵌合するような内寸を有する。ポケット２０４をビン（bin）とも呼ぶ。
【００３２】
ポケット２０４は、ポケットの内面２０４に装着された１又は複数の電気導体２０６を含んでいる。電気導体（１又は複数）２０６は、電力が電気導体（１又は複数）２０６に印加され、且つ可搬型ディジタルＸ線検出器がポケット２０４に置かれた２０８ときに、可搬型ディジタルＸ線検出器に電力を供給する。
【００３３】
幾つかの具現化形態では、電気導体（１又は複数）２０６は、ポリイソブテンのような何らかの低アレルギー誘発性材料（１又は複数）を含んでいる。幾つかの具現化形態では、電気導体（１又は複数）２０６は低アレルギー誘発性材料のみを含んでいる。
【００３４】
幾つかの具現化形態では、電気導体（１又は複数）２０６は、ポケットの内面２０４の等高よりも高く装着される。等高よりも高いとは、ポケットの内面よりも上に持ち上げられている。幾つかの具現化形態では、電気導体（１又は複数）２０６は、電気導体（１又は複数）２０６の下方に設けられた１又は複数のばね（１又は複数）（図示されていない）を含んでいる。ばね（１又は複数）は、電気導体（１又は複数）２０６に力が加わっていないときには電気導体（１又は複数）２０６をポケットの内面２０４の等高よりも上に保持する張力を有する。ばねはまた、可搬型無線ディジタルＸ線検出器のの全重量が電気導体（１又は複数）２０６に加わったときにはポケットの内面２０４の略等高に電気導体（１又は複数）２０６を保持する力を有する。ばねの一具現化形態を図６に示す。
【００３５】
図２に示すもののような幾つかの具現化形態では、電気導体（１又は複数）２０６は導電性プレート（１又は複数）である。図示しない他の具現化形態では、電気導体（１又は複数）２０６はピン（１又は複数）である。
【００３６】
図３は、隣り合う電気導体を有する可搬型無線ディジタルＸ線検出器システム及びドッキング検出器レセプタクルの等角図である。図３の可搬型無線ディジタルＸ線検出器システム及びドッキング検出器レセプタクルは、ドッキング検出器レセプタクルから可搬型無線ディジタルＸ線検出器へ電力を供給する簡便な手段を提供する。
【００３７】
可搬型無線ディジタルＸ線検出器システム１００及びドッキング検出器レセプタクル２００の各電気導体（１１２及び２０６）はそれぞれにおいて、可搬型無線ディジタルＸ線検出器システム１００がドッキング検出器レセプタクル２００のポケット２０４に置かれたときに互いに対して隣接する又は相接する所定の位置に配置される。可搬型無線ディジタルＸ線検出器システム１００の筐体の表面に設けられている電気導体（１又は複数）の各々は、ドッキング検出器レセプタクル２００のポケットの内部の電気導体に隣接した筐体の位置に位置する。可搬型無線ディジタルＸ線検出器システム１００がドッキング検出器レセプタクル２００のポケット２０４に置かれたときには、各電気導体の配置が可搬型無線ディジタルＸ線検出器システム１００とドッキング検出器レセプタクル２００との間の物理的及び電気的接点を提供する。このようにして、可搬型無線ディジタルＸ線検出器システム１００がドッキング検出器レセプタクル２００のポケット２０４に置かれたときに、可搬型無線ディジタルＸ線検出器システム１００とドッキング検出器レセプタクル２００との間に電気経路が形成される。
【００３８】
幾つかの具現化形態では、図３に示すように、電気導体（１又は複数）１１２は、可搬型無線ディジタルＸ線検出器システム１００の筐体の底面に配置され、電気導体（１又は複数）２０６は、ドッキング検出器レセプタクル２００のポケット２０４の底面内側に配置される。
【００３９】
図示しない幾つかの具現化形態では、電気導体（１又は複数）１１２は、可搬型無線ディジタルＸ線検出器システム１００の筐体の側面及び／又は底面に配置され、電気導体（１又は複数）２０６は、ドッキング検出器レセプタクル２００のポケット２０４の側面内側及び／又は底面内側に配置される。
【００４０】
図４は、複数の３個の電気導体を有する可搬型無線ディジタルＸ線検出器システム及びドッキング検出器レセプタクルの等角図である。図４の可搬型無線ディジタルＸ線検出器システム及びドッキング検出器レセプタクルは、ドッキング検出器レセプタクルから可搬型無線ディジタルＸ線検出器へ電力を供給する簡便な手段を提供する。
【００４１】
可搬型無線ディジタルＸ線検出器システム１００の幾つかの具現化形態は、図４に示す３個の電気導体１１２、４０２及び４０４のような複数の電気導体を含んでいる。
【００４２】
ドッキング検出器レセプタクル２００の幾つかの具現化形態は、図４に示す３個の電気導体２０６、４０６及び４０８のような複数の電気導体を含んでいる。電気導体２０６、４０６及び４０８、並びに１１２、４０２及び４０４は長手軸４１０に沿って対称に配置され、可搬型無線ディジタルＸ線検出器システム１０６のパネル１０６がドッキング検出器レセプタクル２００の背面２０２を向いた状態で可搬型無線ディジタルＸ線検出器システム１００がドッキング検出器レセプタクル２００のポケット２０４に置かれているか否か、又はパネル１０６が可搬型無線ディジタルＸ線検出器２００の外側を向いている状態で可搬型無線ディジタルＸ線検出器システム１００がドッキング検出器レセプタクル２００のポケット２０４に置かれているかを問わず、電気的接点がドッキング検出器レセプタクル２００と可搬型無線ディジタルＸ線検出器システム１００との間に設けられるようになっている。
【００４３】
図５は、複数の４個の電気導体を有し、且つ／又は丸み付き稜角を有する電気導体を有する可搬型無線ディジタルＸ線検出器システム５００及びドッキング検出器レセプタクル２００の等角図である。図５の可搬型無線ディジタルＸ線検出器システム及びドッキング検出器レセプタクルは、ドッキング検出器レセプタクルから可搬型無線ディジタルＸ線検出器へ電力を供給する簡便な手段を提供する。
【００４４】
可搬型無線ディジタルＸ線検出器システム１００の幾つかの具現化形態は、図５に示す４個の電気導体５０２、５０４、５０６及び５０８のような複数の電気導体を含んでいる。
【００４５】
幾つかの具現化形態では、電気導体５０２、５０４、５０６及び／又は５０８は、丸み付き稜角（１又は複数）を有している。電気導体５０２、５０４、５０６及び／又は５０８の丸み付き稜角（１又は複数）は、患者又は人間に接触し得る可搬型無線ディジタルＸ線検出器システム５００について特に有益である。というのは、丸み付き稜角（１又は複数）は、電気導体５０２、５０４、５０６及び／又は５０８の稜角（１又は複数）が患者、又は放射線技師、看護士若しくは医師のような他の人間の皮膚又は衣服に引っ掛かって、人間に怪我をさせたり、電気導体５０２、５０４、５０６及び／又は５０８と接触する次の人間に伝わり得る人体上皮及び／又は血液の付着体として作用し、このようにしてウィルス及び／又は細菌が一人の人間から他の人間へ伝染する媒体として作用したりする可能性を解消しないまでも低減するからである。このように、電気導体５０２、５０４、５０６及び／又は５０８の丸み付き稜角（１又は複数）は、可搬型無線ディジタルＸ線検出器システム５００との物理的接触を有する人間同士の間の二次汚染を防止する。幾つかの具現化形態では、電気導体５０２、５０４、５０６及び／又は５０８の丸み付き稜角（１又は複数）は、電気導体５０２、５０４、５０６及び／又は５０８の幾何学的構成が円形となる範囲までで丸み付きとされる。幾つかの具現化形態では、電気導体５０２、５０４、５０６及び／又は５０８の稜角の全てを丸み付きにする。
【００４６】
幾つかの具現化形態では、電気導体５１０、５１２、５１４及び／又は５１６は、丸み付き稜角（１又は複数）を有する。電気導体５１０、５１２、５１４及び／又は５１６の丸み付き稜角（１又は複数）は、可搬型無線ディジタルＸ線検出器システムがドッキング検出器レセプタクル２００のポケットに置かれたときに稜角が可搬型無線ディジタルＸ線検出器システムの一部に引っ掛かる可能性を小さくする。幾つかの具現化形態では、電気導体５１０、５１２、５１４及び／又は５１６の丸み付き稜角（１又は複数）は、電気導体５０２、５０４、５０６及び／又は５０８の幾何学的構成が円形となる範囲までで丸み付きとされる。幾つかの具現化形態では、電気導体５１０、５１２、５１４及び／又は５１６の稜角の全てを丸み付きにする。
【００４７】
幾つかの具現化形態では、電気導体５１０、５１２、５１４及び／又は５１６は、面取り縁（１又は複数）（図示されていない）を有する。電気導体５１０、５１２、５１４及び／又は５１６の面取り稜角（１又は複数）は、可搬型無線ディジタルＸ線検出器システムがドッキング検出器レセプタクル２００のポケットに置かれたときに縁が可搬型無線ディジタルＸ線検出器システムの一部に引っ掛かる可能性を小さくする。
【００４８】
複数の電気導体を有する可搬型無線ディジタルＸ線検出器システム１００、２００、３００、４００及び５００の全てにおいて、電気導体は、多数の電気導体のため冗長性を有する。冗長性を有する電気導体は、電気導体が非伝導性粒子（例えば塵）によって覆われることにより生ずるような複数の電気導体のいずれもが動作不能となる可能性を低減する。任意の所与の時刻に複数の電気導体の全てが動作不能となる可能性を低減すると、電気導体の少なくとも１個がこの時刻に動作可能となっている可能性が高まり、このようにして、可搬型無線ディジタルＸ線検出器システム１００、２００、３００、４００及び５００の信頼性を高める。
【００４９】
図６は、電気導体ばねアセンブリ６００の断面ブロック図である。ばね６００は、電気導体２０６のようなドッキング検出器レセプタクルの電気導体の下方に配置されて電気導体に対して外向きの力を与えることのできるばねの一具現化形態であって、この電気導体と可搬型無線ディジタルＸ線検出器システム側の電気導体との間の接触を改善し、このようにして、ドッキング検出器レセプタクルと可搬型無線ディジタルＸ線検出器システムとの間の電気的接触を改善する。
【００５０】
電気導体ばねアセンブリ６００の例では、電気導体はピン６０２であって、ピン６０２をドッキング検出器レセプタクルのポケットの内面６０６の下方で保持するフランジ６０４付きの円筒形幾何学的構成を有する装置となっている。ばね６０８は、ピン６０２に対する張力を与えて、力がピン６０２に加わっていないときには、ドッキング検出器レセプタクルのポケットの内面６０６の等高よりも高くピン６０２を保持する。ばね６０８はまた、可搬型無線ディジタルＸ線検出器の全重量がピン６０２に加わっているときに、ポケットの内面２０４に略等高にピン６０２を保持する張力を有する。
【００５１】
図７は、バッテリ充電指示計及び／又はバッテリ状態指示計を有する可搬型無線ディジタルＸ線検出器システム７００の等角図である。
【００５２】
可搬型無線ディジタルＸ線検出器システム７００の幾つかの具現化形態は、バッテリ充電指示計７０２を含んでいる。バッテリ充電指示計７０２は、図１のバッテリ１１０のようなバッテリの二つの充電状態を示すように動作することが可能である。二つの状態は、「充電中」及び「非充電中」であり、バッテリが再充電されているか否かを指示する。バッテリ充電指示計７０２は、低出力発光ダイオード（ＬＥＤ）のような光であってよく、点灯状態の光はバッテリの充電が生じていることを示し、消灯状態の光はバッテリの充電が生じていないことを示す。バッテリ充電指示計は筐体１０２に装着されて、バッテリ充電指示計７０２はプロセッサに結合されて動作する。図７に示すような幾つかの具現化形態では、バッテリ充電指示計７０２は、可搬型無線ディジタルＸ線検出器システム７００がドッキング検出器レセプタクル２００のポケット２０４のようなドッキング検出器レセプタクルのポケットに置かれているときに見易いように筐体１０２の最上部に装着される７０２。幾つかの具現化形態（図示されていない）では、バッテリ充電指示計７０２は、筐体１０２の側面に装着される７０２。幾つかの具現化形態では、バッテリ充電指示計７０２は、バッテリ充電レベルが特定の閾値を下回ったときに音を鳴らすスピーカである。
【００５３】
可搬型無線ディジタルＸ線検出器システム７００の幾つかの具現化形態は、バッテリ状態指示計７０４を含んでいる。バッテリ状態指示計７０４は、図１のバッテリ１１０のようなバッテリの充電量を示すように動作可能である。幾つかの具現化形態では、バッテリ状態指示計７０４は、バッテリの完全充電に対してどれだけの部分が充電されているかを示す。例えば、バッテリが完全に充電されていることを示すためにはバッテリ状態指示計７０４の全体が完全に点灯し、バッテリが全く充電されていないことを示すためにはバッテリ状態指示計７０４は完全に消灯し、バッテリが完全充電の５０％を有することを示すためにはバッテリ状態指示計７０４は半分だけ点灯する。バッテリ状態指示計７０４がＬＥＤ光のような光である具現化形態では、バッテリの完全充電を示すためにはＬＥＤは完全に点灯し、バッテリの無充電を示すためにはＬＥＤは消灯し、バッテリの５０％の充電を指示するためにはＬＥＤは半分だけ点灯する。バッテリ状態指示計７０４が、ＬＥＤ光列のような連続した一連の光列である具現化形態では、バッテリの完全充電を示すためにはＬＥＤの全てが点灯し、バッテリの無充電を示すためにはいずれのＬＥＤも点灯せず、バッテリの５０％充電を示すためにはＬＥＤの半数が点灯する。幾つかの具現化形態では、バッテリ状態指示計７０４は、バッテリ充電レベルが特定の閾値を下回ったときに音を鳴らすスピーカである。幾つかの具現化形態では、バッテリ低充電の報知が少なくとも２段階のレベルで与えられる。例えば、一つのレベルでは、バッテリ電力の残量が特定のレベル（例えば５％）を下回ったときに、可搬型無線ディジタルＸ線検出器システムによって操作者に対し、例えば音声（検出器又はシステムからの特定の音）及び／又は映像（検出器において点滅するＬＥＤ、及びシステムの画面のポップアップ・ウィンドウ）によって警報が与えられる。例えばもう一つのレベルでは、バッテリ電力の残量が第二のレベル（例えば２％）を下回ったときに、可搬型無線ディジタルＸ線検出器システムは、検出器が画像を取得する過程にないときに電源を切る。電源の切断は画像取得時には遅らせられる。というのは、画像を得ずに患者にＸ線エネルギを放出すると患者に対する安全性の懸念を生ずるからである。
【００５４】
バッテリ状態指示計７０４は筐体１０２に装着され、またバッテリ状態指示計７０４はプロセッサに結合されて動作する。図７に示す幾つかの具現化形態では、バッテリ状態指示計７０４は、可搬型無線ディジタルＸ線検出器システム７００が、ドッキング検出器レセプタクル２００のポケット２０４のようなドッキング検出器レセプタクルのポケットに置かれているときに見易いように筐体１０２の最上部に装着される７０４。幾つかの具現化形態（図示されていない）では、バッテリ状態指示計７０４は、筐体１０２の側面に装着される７０４。
【００５５】
図８は、１又は複数のドッキング検出器レセプタクルを有する一実施形態による可動型ディジタルＸ線イメージング・システム８００の側面図である。可動型ディジタルＸ線イメージング・システム８００は、水平アーム８０４の端部に装着されたＸ線源８０２を含んでいる。Ｘ線源８０２は、患者の関心区域にわたって配置自在である。Ｘ線源８０２は典型的には、遊動環（ジンバル）形式の構成を介して装着されており、患者のＸ線画像を撮影するために、支柱８０６が回転してＸ線源を可動型Ｘ線ユニット本体６０８の停止位置から適当な位置まで移動させる。
【００５６】
可動型ディジタルＸ線イメージング・システム８００はまた、１又は複数の網アダプタ８１２を含んでいる。これら複数の網アダプタ８１２の２個の網アダプタを図８に示しているが、任意の数の網アダプタを具現化することができる。２個以上の網アダプタ８１２が含まれている具現化形態では、これらの網アダプタ８１２の１個を用いて外部のディジタルＸ線検出器と接続する。他の付加的な網アダプタ８１２の１個は、可動型ディジタルＸ線イメージング・システム８００からの画像を表示するように動作可能な画像保管及び通信システム（ＰＡＣＳ）ステーションのような電子システムへのインタフェイスとして用いられる。網アダプタ８１２の少なくとも１個は、イーサネット（商標）・アダプタ又はユニバーサル・シリアル・バス（ＵＳＢ）アダプタのような従来の網アダプタである。ＵＳＢは、USB Implementers Forum, Inc.（郵便番号９４２２１、米国オレゴン州ポートランド、5440 SW Westgate Dr.）によって公開されている規格である。
【００５７】
可動型ディジタルＸ線イメージング・システム８００はまた、図４に示すドッキング検出器レセプタクルのような１又は複数のドッキング検出器レセプタクルを含んでいる。図８では、ドッキング検出器レセプタクルは、可動型ディジタルＸ線イメージング・システム８００の背面等のような可動型ディジタルＸ線イメージング・システム８００の面に装着され得る。
【００５８】
可動型ディジタルＸ線イメージング・システム８００の網アダプタ８１０は、有線式及び／又は無線式の通信リンク（図示されていない）を介してドッキング検出器レセプタクルに結合されて動作する。通信リンクは、ドッキング検出器レセプタクルと、可動型ディジタルＸ線イメージング・システム８００からの画像を表示するように動作可能な可動型ディジタルＸ線イメージング・システム８００の電子システムとの間の通信経路を提供する。このように、可搬型ディジタルＸ線検出器からの情報は、可搬型ディジタルＸ線検出器がドッキング検出器レセプタクル４００のポケット２０４にドッキングされているときにも、可搬型ディジタルＸ線検出器から、電気インタフェイス５１２のようなドッキング検出器レセプタクル４００の電気インタフェイスを介して、画像を表示するように動作可能な電子システムへ送信され得る。
【００５９】
図９は、非接触型誘導式給電モジュールを有する可搬型無線ディジタルＸ線検出器システム９００の等角図である。可搬型無線ディジタルＸ線検出器システム９００の幾つかの具現化形態は、少なくとも１個の非接触型誘導式充電用コイル９０２を含んでいる。非接触型誘導式充電用コイル９０２は、電磁エネルギを受け取って、電磁エネルギを電気エネルギへ変換する。次いで、この電気エネルギを用いてバッテリ１１０を充電する。幾つかの具現化形態では、非接触型誘導式充電用コイル９０２は、電磁エネルギを受け取る誘導モジュールと、誘導モジュールに結合されており誘導モジュールからの電流を整流する整流モジュールと、整流モジュールからの整流済み電流を濾波するフィルタ・モジュールとを含んでいる。幾つかの具現化形態では、非接触型誘導式充電用コイル９０２は電気導体（１又は複数）１１２（例えば図１の電気導体（１又は複数）１１２）の代わりとなるものであり、この場合には、可搬型無線ディジタルＸ線検出器システム９００は電気導体（１又は複数）を有しない。図示しない幾つかの具現化形態では、可搬型無線ディジタルＸ線検出器システム９００は、非接触型誘導式充電用コイル９０２と、電気導体（１又は複数）１１２とを含んでいる。非接触型誘導式充電用コイル９０２は電気導体（１又は複数）を必要とせず、一様な検出器筐体表面を提供し、また塵及び水に対して防御性がある。図９に示す具現化形態では、非接触型誘導式充電用コイル９０２は、可搬型無線ディジタルＸ線検出器システム９００の底面積において筐体１０４に巻回された電磁コイルである。非接触型誘導式充電用コイル９０２の軸は、可搬型無線ディジタルＸ線検出器システム９００が電磁インダクタを有するドッキング検出器レセプタクル１０００のポケット２０４に置かれているときに、コイル９０２が電磁インダクタを有するドッキング検出器レセプタクル１０００の電磁インダクタ１００２と同じ軸に沿って整列するように配向する。
【００６０】
図１０は、電磁インダクタを有するドッキング検出器レセプタクル１０００の等角図である。ドッキング検出器レセプタクル１０００は、図９の非接触型誘導式充電用コイル９０２のような非接触型誘導式充電モジュールを有する可搬型無線ディジタルＸ線検出器に電力を供給する簡便な手段を提供する。図１０では、電磁インダクタ１００２が、電磁エネルギを発生するように動作可能である。幾つかの具現化形態では、電磁インダクタ１００２は電磁コイルである。図示しない他の具現化形態では、電磁インダクタ１００２は、図８の可動型ディジタルＸ線イメージング・システム８００のような可動型ディジタルＸ線イメージング・システムに配置されている。図１０に示す具現化形態では、電磁インダクタ１００２は、ドッキング検出器レセプタクル１０００のポケット２０４の広い面積にわたって配置されて電磁エネルギの伝達を改善する電磁コイルである。電磁インダクタ１００２の軸は、可搬型無線ディジタルＸ線検出器システム９００がドッキング検出器レセプタクル１０００のポケット２０４に置かれているときに、コイル９０２がドッキング検出器レセプタクル１０００の電磁インダクタ１００２と同じ軸に沿って整列するように配向させられる。
結論
外部電気導体を有するドッキング検出器レセプタクル及び可搬型無線ディジタルＸ線検出器システムについて説明した。外部電気導体を有するドッキング検出器レセプタクル及び可搬型無線ディジタルＸ線検出器システムの技術的効果は、ドッキング検出器レセプタクルからの可搬型無線ディジタルＸ線検出器システムでのバッテリの充電である。本書では特定の具現化形態を図示して説明したが、当業者は、同じ目的を達成するために考案された任意の構成を図示の特定の具現化形態に代えて置換し得ることを認められよう。本出願は、あらゆる適応構成又は変形を網羅するものとする。
【００６１】
具体的には、当業者は、方法及び装置の名称が具現化形態を限定するものではないことを容易に認められよう。さらに、具現化形態の範囲から逸脱せずに、付加的な方法及び装置を各構成要素に追加したり、構成要素間で作用を再構成したり、将来の機能拡張や具現化形態に用いられている物理的装置に対応する新たな構成要素を導入したりすることができる。当業者は、各具現化形態が将来のドッキング検出器レセプタクル及び新たな可搬型無線ディジタルＸ線検出器に応用可能であることを容易に認められよう。本出願で用いられた用語は、全てのドッキング検出器レセプタクル及び新たな可搬型無線ディジタルＸ線検出器を包含すると共に、本書に記載している作用と同じ作用を提供する代替技術を包含するものとする。
【符号の説明】
【００６２】
１００  可搬型無線ディジタルＸ線検出器システム
１０２  筐体
１０４  外側
１０６  ピクセル・アレイ・パネル
１０８  プロセッサ
１１０  バッテリ
１１２  電気導体（１又は複数）
１１４、１１６  電気経路
２００  ドッキング検出器レセプタクル
２０２  背面
２０４  ポケット
２０６  電気導体（１又は複数）
２０８  配置移動
４００  複数の３個の電気導体を有する可搬型無線ディジタルＸ線検出器システム及びドッキング検出器レセプタクル
４０２、４０４、４０６、４０８  電気導体
４１０  長手軸
５００  可搬型無線ディジタルＸ線検出器システム
５０２、５０４、５０６、５０８、５１０、５１２、５１４、５１６  電気導体
６００  電気導体ばねアセンブリ
６０２  ピン
６０４  フランジ
６０６  内面
６０８  ばね
７００  可搬型無線ディジタルＸ線検出器システム
７０２  バッテリ充電指示計
７０４  バッテリ状態指示計
８００  可動型ディジタルＸ線イメージング・システム
８０２  Ｘ線源
８０４  水平アーム
８０６  支柱
８０８  可動型Ｘ線ユニット本体
８１０  網アダプタ
８１２  網アダプタ
９００  可搬型無線ディジタルＸ線検出器システム
９０２  非接触型誘導式充電用コイル
１０００  電磁インダクタを有するドッキング検出器レセプタクル
１００２  電磁インダクタ
【図１】
2010022836.tif 000003
【図２】
2010022836.tif 000004
【図３】
2010022836.tif 000005
【図４】
2010022836.tif 000006
【図５】
2010022836.tif 000007
【図６】
2010022836.tif 000008
【図７】
2010022836.tif 000009
【図８】
2010022836.tif 000010
【図９】
2010022836.tif 000011
【図１０】
2010022836.tif 000012